【手続補正書】
【提出日】平成25年3月15日(2013.3.15)
【手続補正１】
【補正対象書類名】特許請求の範囲
【補正対象項目名】全文
【補正方法】変更
【補正の内容】
【特許請求の範囲】
【請求項１】
多重入出力（ＭＩＭＯ）システムのネットワーク要素（１３０、２２０、３３０、４３０、５２０、６２０、６３０、１１７０）によって実行される方法であって、前記方法は、
ユーザ機器（ＵＥ）（１１０、１２０、２１０、３１０、３２０、４１０、４２０、５１０、５３０、６１０、６４０、１０２０、１１００）によって利用される輸送ブロックに関する情報と、前記ＵＥによって利用される専用参照信号ポートに関する情報とを含むダウンリンク制御情報（ＤＣＩ）を伝送すること（１５２、１５４、１０３０）
を含み、
１つの輸送ブロックが用いられることを前記情報が示す場合に、第１の組の層の組み合わせまたは関連する専用参照ポートの組み合わせが、前記ＵＥによって利用され、
２つの輸送ブロックが用いられることを前記情報が示す場合に、第２の組の層の組み合わせまたは関連する専用参照ポートの組み合わせが、前記ＵＥによって利用され、
最大８個の専用参照ポートが、前記ＵＥによる使用のために示される、方法。
【請求項２】
前記ＤＣＩに含まれる前記情報は、多重ユーザＭＩＭＯ伝送をサポートする、請求項１に記載の方法。
【請求項３】
前記ＤＣＩに含まれる前記情報は、インデックス値を含む、請求項１に記載の方法。
【請求項４】
スクランブルコードが、インデックス値に関連付けられている、請求項３に記載の方法。
【請求項５】
前記ネットワーク要素は、ロングタームエボリューション（ＬＴＥ）動作およびＬＴＥ−ａｄｖａｎｃｅｄ動作のうちの少なくとも１つが可能なｅＮｏｄｅＢである、請求項１〜４のいずれか一項に記載の方法。
【請求項６】
請求項１〜５のいずれか一項に記載の方法を実行するように構成されているプロセッサを含むネットワーク要素。
【請求項７】
請求項１〜５のいずれか一項に記載の方法を実行することをネットワーク要素に行わせる命令を格納しているコンピュータ読み取り可能な媒体。
【請求項８】
ユーザ機器（ＵＥ）（１１０、１２０、２１０、３１０、３２０、４１０、４２０、５１０、５３０、６１０、６４０、１０２０、１１００）であって、前記ＵＥは、
請求項６に記載のネットワーク要素によって実行される伝送動作に従ってダウンリンク制御情報（ＤＣＩ）を受信することと、
前記ＤＣＩに含まれる前記情報に基づいて、輸送ブロックおよび専用参照信号ポートのうちの少なくとも１つを利用することと
を行うように構成されている、ＵＥ。
【手続補正２】
【補正対象書類名】明細書
【補正対象項目名】００１１
【補正方法】変更
【補正の内容】
【００１１】
本開示はなおもさらに、多重入出力システムで伝送層および／またはＤＲＳパターン／コードあるいはＤＲＳポートに対する信号伝達を使用するように構成されるユーザ機器を提供し、ユーザ機器は、利用される伝送層および／またはＤＲＳパターン／コードあるいはＤＲＳポートに対する情報を含むダウンリンク制御信号を受信するための通信サブシステムと、利用される伝送層および／またはＤＲＳパターン／コードあるいはＤＲＳポートに対する情報に基づいて信号を復調するためのプロセッサとを備える。
本発明は、例えば、以下を提供する。
（項目１）
多重入出力システムで使用される伝送層を信号伝達する方法であって、
利用される伝送層または専用参照信号ポートに対する情報を含むダウンリンク制御信号を提供するステップであって、該専用参照信号ポートは、該伝送層と関連付けられている、ステップと、
各伝送層上のデータを復調するために該情報を使用するステップと
を含む、方法。
（項目２）
上記情報は、各ビットが層または対応する専用参照信号ポートに対応するビットマップを含む、項目１に記載の方法。
（項目３）
上記情報は、層の組み合わせのテーブルまたは関連専用参照信号ポートの組み合わせのテーブルに関連付けられたインデックスを含む、項目１に記載の方法。
（項目４）
上記層の組み合わせのテーブルまたは関連専用参照信号ポートの組み合わせのテーブルは、可能な組み合わせの一部に限定される、項目３に記載の方法。
（項目５）
上記可能な組み合わせの一部は、
単一ユーザ多重入出力のための全ての伝送層の組み合わせが含まれることを確実にし、
マルチユーザ多重入出力のための余分な層の組み合わせを提供し、
最も低い番号が付けられた層から、最大数の層を伴う受信機に層を割り当てるように、選択される、項目４に記載の方法。
（項目６）
ユーザ機器に対して割り当てられる層をさらに含み、上記層は、隣接する層のインデックスを有するようにグループ化され、上記情報は、開始層に対するインデックスと、層数の値とを含む、項目１に記載の方法。
（項目７）
最後の層に遭遇すると、第１の層にラップすること（ｗｒａｐｐｉｎｇ）をさらに含む、項目６に記載の方法。
（項目８）
輸送ブロック情報が、利用される伝送層に対する上記情報に使用される、項目１に記載の方法。
（項目９）
１つの輸送ブロックが使用されることを上記輸送ブロック情報が表す場合、第１組の層の組み合わせまたは関連専用参照ポートの組み合わせの情報が利用され、２つの輸送ブロックが使用されることを上記輸送ブロック情報が表す場合、第２組の層の組み合わせまたは関連専用参照ポートの組み合わせの情報が利用される、項目８に記載の方法。
（項目１０）
選択された層の組み合わせまたは関連専用参照ポートの組み合わせは、多重入出力システムにおける多重ユーザ伝送のためにサポートされ、インデックスは、専用参照信号ポートの選択された組み合わせの信号伝達を提供する、項目９に記載の方法。
（項目１１）
インデックスは、異なる長さまたは種類のウォルシュまたはスクランブルコードを有する専用参照信号ポートの選択された組み合わせを提供する、項目１０に記載の方法。
（項目１２）
全ランクを信号伝達するステップをさらに含み、上記全ランクの信号伝達は、受信機に復調情報を示す、項目１に記載の方法。
（項目１３）
輸送ブロック情報が、上記全ランクに関連して考慮される、項目１２に記載の方法。
（項目１４）
層情報と全ランク情報とは、合同でコード化される、項目１２に記載の方法。
（項目１５）
全ランク情報とは別に、専用参照信号パターン／コードまたは専用参照信号ポートを信号伝達するステップをさらに含む、項目１に記載の方法。
（項目１６）
全ランク情報が、専用参照信号パターン／コードまたは専用参照信号ポートとともに合同で符号化される、項目１に記載の方法。
（項目１７）
多重入出力システムで使用される伝送層または専用参照信号ポートを信号伝達するように構成されたネットワーク要素であって、
プロセッサと、
通信サブシステムと
を含み、該プロセッサおよび該通信サブシステムは、項目１から６のうちのいずれか１項に記載の方法を実施するように協働する、ネットワーク要素。
（項目１８）
多重入出力システムで使用される伝送層に対する情報を利用するためのユーザ機器における方法であって、
利用される伝送層または専用参照信号ポートに対する情報を含むダウンリンク制御信号を受信するステップであって、該専用参照信号ポートは、該伝送層に関連付けられている、ステップと、
該情報に基づいて信号を復調するステップと
を含む、方法。
（項目１９）
上記情報は、各ビットが層または対応する専用参照信号ポートに対応するビットマップを含む、項目１８に記載の方法。
（項目２０）
上記情報は、層の組み合わせのテーブルまたは関連専用参照信号ポートの組み合わせのテーブルに関連付けられたインデックスを含む、項目１８に記載の方法。
（項目２１）
上記層の組み合わせのテーブルまたは関連専用参照信号ポートの組み合わせのテーブルは、可能な組み合わせの一部に限定される、項目２０に記載の方法。
（項目２２）
上記ユーザ機器に対して隣接した層のインデックスを有するように層をグループ化するステップをさらに含み、上記情報は、開始層に対するインデックスと、層数の値とを含む、項目１８に記載の方法。
（項目２３）
最後の層に遭遇すると、第１の層にラップすること（ｗｒａｐｐｉｎｇ）をさらに含む、項目２２に記載の方法。
（項目２４）
輸送ブロック情報が、利用される伝送層に対する上記情報に使用される、項目１８に記載の方法。
（項目２５）
１つの輸送ブロックが使用されることを上記輸送ブロック情報が表す場合、第１組の層の組み合わせまたは関連専用参照ポートの組み合わせの情報が利用され、２つの輸送ブロックが使用されることを上記輸送ブロック情報が表す場合、第２組の層の組み合わせまたは関連専用参照ポートの組み合わせの情報が利用される、項目２４に記載の方法。
（項目２６）
選択された層の組み合わせまたは関連専用参照ポートの組み合わせは、多重入出力システムにおける多重ユーザ伝送のためにサポートされ、インデックスは、専用参照信号ポートの選択された組み合わせの信号伝達を提供する、項目２５に記載の方法。
（項目２７）
インデックスは、異なる長さまたは種類のウォルシュまたはスクランブルコードを有する専用参照信号ポートの選択された組み合わせを提供する、項目２６に記載の方法。
（項目２８）
全ランクを信号伝達するステップをさらに含み、上記全ランクの信号伝達は、上記ユーザ機器に復調情報を示す、項目１８に記載の方法。
（項目２９）
輸送ブロック情報が、上記全ランクに関連して考慮される、項目２８に記載の方法。
（項目３０）
層情報と全ランク情報とは、合同でコード化される、項目２８に記載の方法。
（項目３１）
全ランク情報とは別に、専用参照信号パターン／コードまたは専用参照信号ポートを信号伝達するステップをさらに含む、項目１８に記載の方法。
（項目３２）
全ランク情報が、専用参照信号パターン／コードまたは専用参照信号ポートとともに合同で符号化される、項目１８に記載の方法。
（項目３３）
多重入出力システムで伝送層を信号伝達するための情報を使用するように構成されたユーザ機器であって、
通信サブシステムと
プロセッサと
を含み、
該プロセッサおよび該通信サブシステムは、項目１８から３２のうちのいずれか１項に記載の方法を実施するように協働する、ユーザ機器。